(57)【要約】可視アーチファクトを低減させるように電気光学ディスプレイを駆動するための種々の方法が、説明される。そのような方法は、第１の画像で複数のディスプレイピクセルを有するディスプレイを更新することと、第１の画像更新後、エッジアーチファクトを伴うディスプレイピクセルを識別することと、メモリの中に識別されたディスプレイピクセルの情報を記憶することとを含む。一実施形態において、エッジアーチファクトを伴うディスプレイピクセルを識別するステップは、ディスプレイピクセルのグレートーン遷移を決定することを含む。
2020533638.tif 000002
【特許請求の範囲】
【請求項１】
複数のディスプレイピクセルを有する電気光学ディスプレイを駆動する方法であって、前記方法は、
第１の画像で前記ディスプレイを更新することと、
前記第１の画像更新後、エッジアーチファクトを伴うディスプレイピクセルを識別することと、
前記識別されたディスプレイピクセル情報をメモリに記憶することと
を含む、方法。
【請求項１】
エッジアーチファクトを伴うディスプレイピクセルを識別する前記ステップは、前記ディスプレイピクセルのグレートーン遷移を決定することを含む、請求項１に記載の方法。
【請求項２】
エッジアーチファクトを伴うディスプレイピクセルを識別する前記ステップは、その基本隣接ピクセルのうちの少なくとも１つと異なるグレートーンを有するディスプレイピクセルを決定することを含む、請求項１に記載の方法。
【請求項３】
エッジアーチファクトを伴うディスプレイピクセルを識別する前記ステップは、前記ディスプレイのコントローラに関連付けられたメモリへの前記識別されたピクセルにフラグを付けることを含む、請求項１に記載の方法。
【請求項４】
エッジアーチファクトを伴う識別された前記ディスプレイピクセルに波形を印加することをさらに含む、請求項１に記載の方法。
【請求項５】
前記波形は、実質的にＤＣ平衡状態である、請求項５に記載の方法。
【請求項６】
前記波形は、ＤＣ非平衡状態である、請求項５に記載の方法。
【請求項７】
駆動後放電を実施することをさらに含む、請求項６に記載の方法。
【請求項８】
前記識別されたディスプレイピクセル情報をメモリに記憶する前記ステップは、前記識別されたディスプレイピクセルの情報をバイナリマップに記憶することを含む、請求項１に記載の方法。
【発明の詳細な説明】
【技術分野】
【０００１】
（関連出願の参照）
本願は、その全体として参照することによって本明細書に組み込まれる２０１７年９月１２日に出願された仮出願第６２／５５７，２８５号の利益を主張する。
【０００２】
（発明の主題）
本発明は、電気光学ディスプレイを駆動する方法に関する。より具体的には、本発明は、電気光学ディスプレイにおけるピクセルエッジアーチファクトおよび／または画像残留を低減させる方法に関する。
【背景技術】
【０００３】
電気光学ディスプレイは、典型的に、それらの各々がディスプレイの１つのピクセルを画定する複数のピクセル電極を提供されたバックプレーンを有する。従来的に、多数のピクセル、通常、ディスプレイ全体にわたって広がっている単一の共通電極が、電気光学媒体の反対側に提供される。個々のピクセル電極は、直接駆動され得るか（すなわち、別個の導体が各ピクセル電極に提供され得る）、または、ピクセル電極は、バックプレーン技術の当業者に熟知されているであろうアクティブマトリクス様式で駆動され得る。隣接するピクセル電極が、多くの場合、異なる電圧にあるので、それらは、電極間の電気短絡を回避するために、有限幅のピクセル間の間隙によって分離されなければならない。一見すると、これらの間隙に重なる電気光学媒体が、駆動電圧がピクセル電極に印加されるときに切り替わらないであろうと考えられ得るが（実際、これは、多くの場合、液晶等のいくつかの非双安定電気光学媒体に当てはまり、黒色マスクが、典型的に、これらの非切り替り間隙を隠すために提供される）が、多くの双安定電気光学媒体の場合、間隙に重なる媒体は、「ブルーミング」として公知である現象により、切り替わる。
【０００４】
ブルーミングは、ピクセル電極への駆動電圧の印加が、ピクセル電極の物理的サイズよりも大きいエリアにわたって電気光学媒体の光学状態の変化を引き起こす傾向を指す。過剰なブルーミングは、回避されるべきである（例えば、高解像度アクティブマトリクスディスプレイでは、ディスプレイの有効解像度を低減させるので、単一のピクセルへの駆動電圧の印加がいくつかの隣接するピクセルを覆うエリアにわたって切り替りを引き起こすことは、所望されない）が、制御された量のブルーミングは、多くの場合、有用である。例えば、各数字のために７つの直接駆動されるピクセル電極の従来の７セグメントアレイを使用して数字を表示する白地に黒の電気光学ディスプレイを考慮されたい。例えば、ゼロが表示されるとき、６つのセグメントが、黒に変えられる。ブルーミングが存在しない場合、６つのピクセル間の間隙が、見えるであろう。しかしながら、例えば、前述の第２００５／００６２７１４号に説明されるように、制御された量のブルーミングを提供することによって、ピクセル間の間隙は、黒に変化させられ、より視覚的に美しい数字をもたらし得る。しかしながら、ブルーミングは、「エッジ残影」と称される問題につながり得る。
【０００５】
ブルーミングのエリアは、一様に白色または黒色ではなく、典型的に、遷移ゾーンであり、ブルーミングのエリアを横断して移動すると、媒体の色は、白からグレーの種々の陰影を通して黒に遷移する。故に、エッジ残影は、典型的に、一様なグレーエリアではなく、グレーの種々の陰影のエリアであろうが、特に、ヒトの眼が、各ピクセルが純黒色または純白色であると考えられる単色画像内でグレーのエリアを検出する能力を持っているので、エッジ残影は、依然として、見え、かつ不愉快であり得る。ある場合、非対称ブルーミングが、エッジ残影に影響し得る。「非対称ブルーミング」は、いくつかの電気光学媒体（例えば、米国特許第７，００２，７２８号（特許文献１）に説明される銅クロマイト／チタニアのカプセル化された電気泳動媒体）において、ピクセルの一方の極端な光学状態から他方の極端な光学状態への遷移中、逆方向への遷移中よりも大きいブルーミングが起こるという意味で、ブルーミングが「非対称」である現象を指し、本特許に説明される媒体において、典型的に、黒色から白色への遷移中のブルーミングは、白色から黒色への遷移中のそれを上回る。
【０００６】
したがって、残影またはブルーミング効果も低減させる駆動方法が、必要とされる。
【先行技術文献】
【特許文献】
【０００７】
【特許文献１】米国特許第７，００２，７２８号明細書
【発明の概要】
【課題を解決するための手段】
【０００８】
故に、一側面では、本明細書に提起される主題は、複数のディスプレイピクセルを有する電気光学ディスプレイを駆動する方法を提供する。方法は、第１の画像でディスプレイを更新することと、第１の画像更新後、エッジアーチファクトを伴うディスプレイピクセルを識別することと、メモリの中に識別されたディスプレイピクセルの情報を記憶することとを含む。いくつかの実施形態では、方法は、第１の画像と第２の画像との間のディスプレイピクセルのグレートーン遷移を決定することも含み得る。いくつか他の実施形態では、方法は、その基本隣接ピクセルのうちの少なくとも１つと異なるグレートーンを有するディスプレイピクセルを決定することと、ディスプレイのコントローラに関連付けられたメモリにおける識別されたピクセルにフラグを付けることとを含み得る。
【図面の簡単な説明】
【０００９】
【図１】図１は、電気泳動ディスプレイを表す回路図である。
【００１０】
【図２】図２は、電気光学結像層の回路モデルを示す。
【００１１】
【図３】図３ａは、白色から白色への遷移を経るピクセルに関する例示的特殊パルス対エッジ消去波形を図示する。図３ｂは、白色から白色への遷移を経るピクセルに関する白色エッジを消去するための例示的特殊ＤＣ非平衡パルスを図示する。図３ｃは、例示的特殊完全白色から白色へ駆動波形を図示する。
【００１２】
【図４】図４ａは、黒色から黒色への遷移を経るピクセルに関する例示的特殊エッジ消去波形を図示する。図４ｂは、例示的特殊完全黒色から黒色へ駆動波形を図示する。
【００１３】
【図５Ａ】図５ａは、ブルーミングまたは残影効果を伴うディスプレイのスクリーンショットを図示する。
【００１４】
【図５Ｂ】図５ｂは、本明細書に提起される主題にしたがって適用されるブルーミングまたは残影効果低減を伴うディスプレイの別のスクリーンショットを図示する。
【発明を実施するための形態】
【００１５】
本発明は、電気光学ディスプレイ、特に、双安定電気光学ディスプレイを駆動する方法と、そのような方法での使用のための装置とに関する。より具体的には、本発明は、そのようなディスプレイにおいて、「残影」およびエッジ効果の低減、ならびに閃光（ｆｌａｓｈｉｎｇ）の低減を可能にし得る、駆動方法に関する。本発明は、排他的ではないが、特に、１つ以上のタイプの荷電粒子が流体中に存在し、ディスプレイの外観を変化させるように電場の影響下で流体を通して移動させられる粒子ベースの電気泳動ディスプレイとの使用のために意図されている。
【００１６】
用語「電気光学」は、材料またはディスプレイに適用されるように、画像化技術分野におけるその従来的な意味で使用され、少なくとも１つの光学特性が異なる第１および第２の表示状態を有する材料を指すために本明細書で使用され、材料は、材料への電場の印加によって、その第１からその第２の表示状態に変化させられる。光学特性は、典型的に、ヒトの眼に知覚可能な色であるが、光学透過率、反射率、ルミネッセンス、または機械読み取りのために意図されるディスプレイの場合、可視範囲外の電磁波長の反射の変化の意味における擬似色等の別の光学特性であり得る。
【００１７】
用語「グレー状態」は、画像化技術分野におけるその従来的な意味で本明細書で使用され、２つの極端なピクセルの光学状態の中間の状態を指し、必ずしも黒と白とのこれらの２つの極端な状態の間の遷移を意味するわけではない。例えば、下で参照されるいくつかのＥ  Ｉｎｋ特許および公開された出願は、中間の「グレー状態」が実際には薄青になるように、極端な状態が白および濃青である電気泳動ディスプレイを説明している。実際、すでに記述されているように、光学状態の変化は、色の変化では全くない場合もある。用語「黒」および「白」は、ディスプレイの２つの極端な光学状態を指すために以降で使用され得、通常、厳密には黒および白ではない極端な光学状態、例えば、前述の白および濃青状態を含むものとして理解されるべきである。用語「単色」は、以降では、介在グレー状態を伴わず、ピクセルをそれらの２つの極端な光学状態のみに駆動する駆動スキームを指すために使用され得る。
【００１８】
いくつかの電気光学材料は、材料が固体外部表面を有するという意味において固体であるが、材料は、多くの場合、内部液体または気体充填空間を有し得る。固体電気光学材料を使用するそのようなディスプレイは、以降では、便宜上、「固体電気光学ディスプレイ」と称され得る。したがって、用語「固体電気光学ディスプレイ」は、回転二色部材ディスプレイ、カプセル化された電気泳動ディスプレイ、マイクロセル電気泳動ディスプレイ、およびカプセル化された液晶ディスプレイを含む。
【００１９】
用語「双安定」および「双安定性」は、当技術分野におけるそれらの従来の意味で、少なくとも１つの光学特性が異なる第１および第２の表示状態を有する表示要素を備えているディスプレイを指すために本明細書で使用され、ディスプレイは、第１または第２の表示状態のうちのいずれか一方を示すように、有限持続時間のアドレスパルスを用いて、任意の所与の要素が駆動されてから、アドレスパルスが終了した後、表示要素の状態を変化させるために要求されるアドレスパルスの最小持続時間の少なくとも数倍、例えば、少なくとも４倍、その状態が続く。米国特許第７，１７０，６７０号では、グレースケール対応のいくつかの粒子ベースの電気泳動ディスプレイが、それらの極端な黒および白状態においてだけでなく、それらの中間グレー状態においても、安定しており、同じことは、いくつかの他のタイプの電気光学ディスプレイにも当てはまることが示されている。このタイプのディスプレイは、適切には、双安定ではなく、「多安定」と呼ばれるが、便宜上、用語「双安定」が、本明細書では、双安定および多安定ディスプレイの両方を網羅するために使用され得る。
【００２０】
用語「インパルス」は、時間に対する電圧の積分のその従来の意味で、本明細書で使用される。しかしながら、いくつかの双安定電気光学媒体は、電荷トランスデューサとしての機能を果たし、そのような媒体の場合、インパルスの代替定義、すなわち、経時的な電流の積分（印加される全電荷に等しい）が、使用され得る。インパルスの適切な定義が、媒体が電圧時間インパルストランスデューサまたは電荷インパルストランスデューサとしての機能を果たすかどうかに応じて、使用されるべきである。
【００２１】
下記の議論の多くは、初期グレーレベルから最終グレーレベル（初期グレーレベルと異なることも、そうではないこともある）への遷移を通して、電気光学ディスプレイの１つ以上のピクセルを駆動する方法に焦点を当てるであろう。用語「波形」は、ある特定の初期グレーレベルから特定の最終グレーレベルへの遷移をもたらすために使用される時間に対する電圧の曲線全体を示すために使用されるであろう。典型的に、そのような波形は、複数の波形要素を備えているであろう。すなわち、これらの要素が、本質的に長方形である場合（すなわち、所与の要素が、ある期間にわたって、一定電圧の印加を備えている場合）、要素は、「パルス」または「駆動パルス」と呼ばれ得る。用語「駆動スキーム」は、特定のディスプレイのためのグレーレベル間のあらゆる可能な遷移をもたらすために十分な波形の組を示す。ディスプレイは、２つ以上の駆動スキームを利用し得る。例えば、前述の米国特許第７，０１２，６００号は、駆動スキームが、ディスプレイの温度またはその寿命中に動作中であった時間等のパラメータに応じて、修正される必要があり得、したがって、ディスプレイが、異なる温度等で使用されるための複数の異なる駆動スキームを提供され得ることを教示する。このようにして使用される駆動スキームの組は、「関連駆動スキームの組」と称され得る。前述のＭＥＤＥＯＤ出願のうちのいくつかに説明されるように、２つ以上の駆動スキームを同一ディスプレイの異なるエリア内で同時に使用することも可能であり、このようにして使用される駆動スキームの組は、「同時駆動スキームの組」と称され得る。
【００２２】
いくつかのタイプの電気光学ディスプレイが、公知である。１つのタイプの電気光学ディスプレイは、例えば、米国特許第５，８０８，７８３号、第５，７７７，７８２号、第５，７６０，７６１号、第６，０５４，０７１号、第６，０５５，０９１号、第６，０９７，５３１号、第６，１２８，１２４号、第６，１３７，４６７号、および第６，１４７，７９１号に説明されるような回転二色部材タイプである（このタイプのディスプレイは、多くの場合、「回転二色ボール」ディスプレイと称されるが、上で記述される特許のうちのいくつかでは、回転部材が球形ではないので、用語「回転二色部材」の方がより正確なものとして好ましい）。そのようなディスプレイは、異なる光学特性を伴う２つ以上の区分と、内部双極子とを有する多数の小さい本体（典型的に、球形または円筒形）を使用する。これらの本体は、マトリクス内に液体が充填された空胞内に懸濁され、空胞は、本体が自由に回転するように、液体で充填されている。ディスプレイの外観は、それに電場を印加し、したがって、本体を種々の位置まで回転させ、視認表面を通して見られる本体の区分を変動させることによって、変更される。このタイプの電気光学媒体は、典型的に、双安定である。
【００２３】
別のタイプの電気光学ディスプレイは、エレクトロクロミック媒体、例えば、少なくとも部分的に半導体金属酸化物から形成される電極と、電極に付着した可逆的色変化が可能な複数の染色分子とを備えているナノクロミックフィルムの形態におけるエレクトロクロミック媒体を使用する。例えば、Ｏ’Ｒｅｇａｎ，Ｂ．，ｅｔ  ａｌ．，Ｎａｔｕｒｅ  １９９１，３５３，７３７、およびＷｏｏｄ，Ｄ．，Ｉｎｆｏｒｍａｔｉｏｎ  Ｄｉｓｐｌａｙ，１８（３），２４  （Ｍａｒｃｈ  ２００２）を参照されたい。Ｂａｃｈ，Ｕ．，ｅｔ  ａｌ．，Ａｄｖ．  Ｍａｔｅｒ．，２００２，１４（１１），８４５も参照されたい。このタイプのナノクロミックフィルムは、例えば、米国特許第６，３０１，０３８号、第６，８７０，６５７号、および第６，９５０，２２０号にも説明されている。このタイプの媒体も、典型的に、双安定である。
【００２４】
別のタイプの電気光学ディスプレイは、Ｐｈｉｌｉｐｓによって開発され、Ｈａｙｅｓ，Ｒ．  Ａ．，ｅｔ  ａｌ．  “Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ”，Ｎａｔｕｒｅ，４２５，３８３−３８５（２００３）に説明されるエレクトロウェッティングディスプレイである。米国特許第７，４２０，５４９号では、そのようなエレクトロウェッティングディスプレイは、双安定にされ得ることが示されている。
【００２５】
長年にわたり集中的な研究および開発の関心の対象である、あるタイプの電気光学ディスプレイは、複数の荷電粒子が電場の影響下で流体を通して移動する粒子ベースの電気泳動ディスプレイである。電気泳動ディスプレイは、液晶ディスプレイと比較したとき、良好な輝度およびコントラスト、広視野角、状態双安定性、ならびに低電力消費の属性を有することができる。それにもかかわらず、これらのディスプレイの長期画質に関する問題は、それらの広範な利用を妨げている。例えば、電気泳動ディスプレイを構成する粒子は、沈降する傾向があり、これらのディスプレイの不十分な使用可能寿命をもたらす。
【００２６】
上記のように、電気泳動媒体は、流体の存在を要求する。殆どの従来技術の電気泳動媒体では、この流体は、液体であるが、電気泳動媒体は、ガス状流体を使用して生産されることもできる（例えば、Ｋｉｔａｍｕｒａ，Ｔ．，ｅｔ  ａｌ．  Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ，ＩＤＷ  Ｊａｐａｎ，２００１，Ｐａｐｅｒ  ＨＣＳ１−１、およびＹａｍａｇｕｃｈｉ，Ｙ．，ｅｔ  ａｌ．，Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｉｌｙ，ＩＤＷ  Ｊａｐａｎ，２００１，Ｐａｐｅｒ  ＡＭＤ４−４を参照）。同様に、米国特許第７，３２１，４５９号および第７，２３６，２９１号も参照されたい。そのようなガスベース電気泳動媒体は、例えば、媒体が垂直プレーンに配置される看板で、媒体がそのような沈降を可能にする向きで使用されるとき、粒子沈降に起因して液体ベース電気泳動媒体と同一のタイプの問題の影響を受けやすいと考えられる。実際、粒子沈降は、電気泳動粒子のより高速の沈降を可能にする液体の粘度と比較して、ガス状懸濁流体のより低い粘度により、液体ベース電気泳動媒体より、ガスベース電気泳動媒体において深刻な問題であると考えられる。
【００２７】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡され、またはそれらの名義の多数の特許および出願は、カプセル化された電気泳動および他の電気光学媒体に使用される種々の技術を説明している。そのようなカプセル化された媒体は、多数の小型カプセルを含み、それらの各々は、それ自体が、電気泳動により移動可能な粒子を流体媒体中に含む内相と、内相を包囲するカプセル壁とを含む。典型的に、カプセルは、それら自体が、ポリマー結合剤内に保持され、２つの電極間に位置付けられる密着した層を形成する。これらの特許および出願に説明される技術は、以下を含む。
【００２８】
（ａ）電気泳動粒子、流体、および流体添加物（例えば、米国特許第７，００２，７２８号および第７，６７９，８１４号を参照）
【００２９】
（ｂ）カプセル、結合剤、およびカプセル化プロセス（例えば、米国特許第６，９２２，２７６号および第７，４１１，７１９号を参照）
【００３０】
（ｃ）マイクロセル構造、壁材料、およびマイクロセルを形成する方法（例えば、米国特許第７，０７２，０９５号および第９，２７９，９０６号を参照）
【００３１】
（ｄ）マイクロセルを充填および密閉する方法（例えば、米国特許第７，１４４，９４２号および第７，７１５，０８８号を参照）
【００３２】
（ｅ）電気光学材料を含むフィルムおよびサブアセンブリ（例えば、米国特許第６，９８２，１７８号および第７，８３９，５６４号を参照）
【００３３】
（ｆ）バックプレーン、接着剤層、および他の補助層、ならびにディスプレイで使用される方法（例えば、米国特許第７，１１６，３１８号および第７，５３５，６２４号を参照）
【００３４】
（ｇ）色形成および色調節（例えば、米国特許第７，０７５，５０２号および第７，８３９，５６４号を参照）
【００３５】
（ｈ）ディスプレイの適用（例えば、米国特許第７，３１２，７８４号および第８，００９，３４８号を参照）
【００３６】
（ｉ）米国特許第６，２４１，９２１号および米国特許出願公開第２０１５／０２７７１６０号に説明されるような非電気泳動ディスプレイ、ならびにディスプレイ以外のカプセル化およびマイクロセル技術の適用（例えば、米国特許出願公開第２０１５／０００５７２０号および第２０１６／００１２７１０号を参照）
【００３７】
（ｊ）ディスプレイを駆動する方法（例えば、米国特許第５，９３０，０２６号、第６，４４５，４８９号、第６，５０４，５２４号、第６，５１２，３５４号、第６，５３１，９９７号、第６，７５３，９９９号、第６，８２５，９７０号、第６，９００，８５１号、第６，９９５，５５０号、第７，０１２，６００号、第７，０２３，４２０号、第７，０３４，７８３号、第７，０６１，１６６号、第７，０６１，６６２号、第７，１１６，４６６号、第７，１１９，７７２号、第７，１７７，０６６号、第７，１９３，６２５号、第７，２０２，８４７号、第７，２４２，５１４号、第７，２５９，７４４号、第７，３０４，７８７号、第７，３１２，７９４号、第７，３２７，５１１号、第７，４０８，６９９号、第７，４５３，４４５号、第７，４９２，３３９号、第７，５２８，８２２号、第７，５４５，３５８号、第７，５８３，２５１号、第７，６０２，３７４号、第７，６１２，７６０号、第７，６７９，５９９号、第７，６７９，８１３号、第７，６８３，６０６号、第７，６８８，２９７号、第７，７２９，０３９号、第７，７３３，３１１号、第７，７３３，３３５号、第７，７８７，１６９号、第７，８５９，７４２号、第７，９５２，５５７号、第７，９５６，８４１号、第７，９８２，４７９号、第７，９９９，７８７号、第８，０７７，１４１号、第８，１２５，５０１号、第８，１３９，０５０号、第８，１７４，４９０号、第８，２４３，０１３号、第８，２７４，４７２号、第８，２８９，２５０号、第８，３００，００６号、第８，３０５，３４１号、第８，３１４，７８４号、第８，３７３，６４９号、第８，３８４，６５８号、第８，４５６，４１４号、第８，４６２，１０２号、第８，５３７，１０５号、第８，５５８，７８３号、第８，５５８，７８５号、第８，５５８，７８６号、第８，５５８，８５５号、第８，５７６，１６４号、第８，５７６，２５９号、第８，５９３，３９６号、第８，６０５，０３２号、第８，６４３，５９５号、第８，６６５，２０６号、第８，６８１，１９１号、第８，７３０，１５３号、第８，８１０，５２５号、第８，９２８，５６２号、第８，９２８，６４１号、第８，９７６，４４４号、第９，０１３，３９４号、第９，０１９，１９７号、第９，０１９，１９８号、第９，０１９，３１８号、第９，０８２，３５２号、第９，１７１，５０８号、第９，２１８，７７３号、第９，２２４，３３８号、第９，２２４，３４２号、第９，２２４，３４４号、第９，２３０，４９２号、第９，２５１，７３６号、第９，２６２，９７３号、第９，２６９，３１１号、第９，２９９，２９４号、第９，３７３，２８９号、第９，３９０，０６６号、第９，３９０，６６１号、および第９，４１２，３１４号、ならびに米国特許出願公開第２００３／０１０２８５８号、第２００４／０２４６５６２号、第２００５／０２５３７７７号、第２００７／００７００３２号、第２００７／００７６２８９号、第２００７／００９１４１８号、第２００７／０１０３４２７号、第２００７／０１７６９１２号、第２００７／０２９６４５２号、第２００８／００２４４２９号、第２００８／００２４４８２号、第２００８／０１３６７７４号、第２００８／０１６９８２１号、第２００８／０２１８４７１号、第２００８／０２９１１２９号、第２００８／０３０３７８０号、第２００９／０１７４６５１号、第２００９／０１９５５６８号、第２００９／０３２２７２１号、第２０１０／０１９４７３３号、第２０１０／０１９４７８９号、第２０１０／０２２０１２１号、第２０１０／０２６５５６１号、第２０１０／０２８３８０４号、第２０１１／００６３３１４号、第２０１１／０１７５８７５号、第２０１１／０１９３８４０号、第２０１１／０１９３８４１号、第２０１１／０１９９６７１号、第２０１１／０２２１７４０号、第２０１２／０００１９５７号、第２０１２／００９８７４０号、第２０１３／００６３３３３号、第２０１３／０１９４２５０号、第２０１３／０２４９７８２号、第２０１３／０３２１２７８号、第２０１４／０００９８１７号、第２０１４／００８５３５５号、第２０１４／０２０４０１２号、第２０１４／０２１８２７７号、第２０１４／０２４０２１０号、第２０１４／０２４０３７３号、第２０１４／０２５３４２５号、第２０１４／０２９２８３０号、第２０１４／０２９３３９８号、第２０１４／０３３３６８５号、第２０１４／０３４０７３４号、第２０１５／００７０７４４号、第２０１５／００９７８７７号、第２０１５／０１０９２８３号、第２０１５／０２１３７４９号、第２０１５／０２１３７６５号、第２０１５／０２２１２５７号、第２０１５／０２６２２５５号、第２０１６／００７１４６５号、第２０１６／００７８８２０号、第２０１６／００９３２５３号、第２０１６／０１４０９１０号、および第２０１６／０１８０７７７号を参照）
【００３８】
前述の特許および出願の多くは、カプセル化された電気泳動媒体内の別々のマイクロカプセルを包囲する壁が、連続相と置換され得、したがって、いわゆる高分子分散電気泳動ディスプレイを生産し、電気泳動媒体が、電気泳動流体の複数の別々の液滴と、高分子材料の連続相とを備え、そのような高分子分散電気泳動ディスプレイ内の電気泳動流体の別々の液滴が、別々のカプセル膜が各個々の液滴に関連付けられない場合でも、カプセルまたはマイクロカプセルと見なされ得ることを認識する。例えば、前述の第２００２／０１３１１４７号を参照されたい。故に、本願の目的のために、そのような高分子分散電気泳動媒体は、カプセル化された電気泳動媒体の亜種と見なされる。
【００３９】
関連タイプの電気泳動ディスプレイは、いわゆる「マイクロセル電気泳動ディスプレイ」である。マイクロセル電気泳動ディスプレイでは、荷電粒子および懸濁流体は、マイクロカプセル内にカプセル化されず、代わりに、キャリア媒体、例えば、ポリマーフィルム内に形成される複数の空洞内に保持される。例えば、両方は、Ｓｉｐｉｘ  Ｉｍａｇｉｎｇ，Ｉｎｃ．に譲渡されている、国際出願公開第ＷＯ０２／０１２８１号および公開された米国出願第２００２／００７５５５６号を参照されたい。
【００４０】
前述のＥ  ＩｎｋおよびＭＩＴ特許ならびに出願の多くは、マイクロセル電気泳動ディスプレイおよび高分子分散電気泳動ディスプレイも想定する。用語「カプセル化された電気泳動ディスプレイ」は、あらゆるそのようなディスプレイタイプを指し得、それは、壁の形態を横断して一般化するために、集合的に「マイクロキャビティ電気泳動ディスプレイ」とも説明され得る。
【００４１】
別のタイプの電気光学ディスプレイは、Ｐｈｉｌｉｐｓによって開発され、Ｈａｙｅｓ，Ｒ．  Ａ．，ｅｔ  ａｌ．  “Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ”，Ｎａｔｕｒｅ，４２５，３８３−３８５（２００３）に説明される、エレクトロウェッティングディスプレイである。２００４年１０月６日に出願された同時係属中の出願第１０／７１１，８０２号では、そのようなエレクトロウェッティングディスプレイは、双安定にされ得ることが示されている。
【００４２】
他のタイプの電気光学材料も、使用され得る。特に着目すべきこととして、双安定強誘電液晶ディスプレイ（ＦＬＣ）が、当技術分野において公知であって、残留電圧挙動を示している。
【００４３】
電気泳動媒体は、不透明であり（例えば、多くの電気泳動媒体では、粒子がディスプレイを通した可視光の透過を実質的に遮断するので）、反射モードで動作し得るが、いくつかの電気泳動ディスプレイは、ある表示状態が、実質的に不透明であり、ある表示状態が、光透過性である、いわゆる「シャッタモード」で動作するようにされることができる。例えば、米国特許第６，１３０，７７４号および第６，１７２，７９８号、ならびに米国特許第５，８７２，５５２号、第６，１４４，３６１号、第６，２７１，８２３号、第６，２２５，９７１号、および第６，１８４，８５６号を参照されたい。電気泳動ディスプレイに類似するが、電場強度の変動に依拠する誘電泳動ディスプレイは、類似モードで動作することができる。米国特許第４，４１８，３４６号を参照されたい。他のタイプの電気光学ディスプレイも、シャッタモードで動作することが可能であり得る。
【００４４】
高分解能ディスプレイは、隣接するピクセルからの干渉を伴わずに、アドレス可能である個々のピクセルを含み得る。そのようなピクセルを取得するための１つの方法は、トランジスタまたはダイオード等の非線形要素のアレイを提供することであり、少なくとも１つの非線形要素は、各ピクセルに関連付けられ、「アクティブマトリクス」ディスプレイを生産する。１つのピクセルをアドレスするアドレス電極またはピクセル電極は、関連付けられた非線形要素を通して、適切な電圧源に接続される。非線形要素が、トランジスタであるとき、ピクセル電極は、トランジスタのドレインに接続され得、この配列が、以下の説明では仮定されるであろうが、本質的に、恣意的であり、ピクセル電極は、トランジスタのソースにも接続され得る。高分解能アレイでは、ピクセルは、任意の特定のピクセルが、１つの規定された行と１つの規定された列との交点によって一意に画定されるように、行および列の２次元アレイで配列され得る。各列内の全てのトランジスタのソースは、単一列電極に接続され得る一方、各行内の全てのトランジスタのゲートは、単一行電極に接続され得る。再び、行へのソースおよび列へのゲートの割り当ては、所望に応じて、逆転され得る。
【００４５】
ディスプレイは、行毎様式で書き込まれ得る。行電極は、行ドライバに接続され、それは、選択された行内の全てのトランジスタが伝導性であることを確実にするような電圧を選択された行電極に印加する一方、これらの選択されていない行内の全てのトランジスタが非伝導性のままであることを確実にするような電圧を全ての他の行に印加し得る。列電極は、列ドライバに接続され、それは、選択された行内のピクセルをそれらの所望の光学状態に駆動するように選択された電圧を種々の列電極にかける。（前述の電圧は、電気光学媒体の非線形アレイと反対側に提供され、ディスプレイ全体にわたって広がり得る共通フロント電極に対するものである。当技術分野において公知のように、電圧は、相対的であり、２つの点間の電荷差の測定値である。一方の電圧値は、別の電圧値に対するものである。例えば、ゼロ電圧（「０Ｖ」）は、別の電圧に対して無電圧差を有することを指す。）「ラインアドレス時間」として公知である事前選択された間隔後、選択された行が、選択解除され、別の行が、選択され、列ドライバ上の電圧は、ディスプレイの次のラインが書き込まれるように変化させられる。
【００４６】
しかしながら、使用時、ある波形が電気光学ディスプレイのピクセルへの残留電圧を生産し得、上記の議論から明白であるように、この残留電圧は、いくつかの不要な光学効果を生成し、一般に、望ましくない。
【００４７】
本明細書に提示されるように、アドレスパルスに関連付けられた光学状態における「シフト」は、電気光学ディスプレイへの特定のアドレスパルスの最初の印加が第１の光学状態（例えば、第１のグレー色調）をもたらし、電気光学ディスプレイへの同じアドレスパルスの後続の印加が第２の光学状態（例えば、第２のグレー色調）をもたらす状況を指す。残留電圧は、アドレスパルスの印加中に電気光学ディスプレイのピクセルに印加される電圧が残留電圧およびアドレスパルスの電圧の和を含むので、光学状態におけるシフトを生じさせ得る。
【００４８】
経時的なディスプレイの光学状態における「ドリフト」は、ディスプレイが静止している間に（例えば、アドレスパルスがディスプレイに印加されない期間中に）電気光学ディスプレイの光学状態が変化する状況を指す。残留電圧は、ピクセルの光学状態が、ピクセルの残留電圧に依存し得、ピクセルの残留電圧が経時的に減衰し得るので、光学状態におけるドリフトを生じさせ得る。
【００４９】
上で議論されるように、「残影」は、電気光学ディスプレイが書き換えられた後、前の画像の痕跡が依然として見えている状況を指す。残留電圧は、前の画像の一部の輪郭（エッジ）が見えたままである残影のタイプである「エッジ残影」を生じさせ得る。
【００５０】
（例示的ＥＰＤ）
【００５１】
図１は、本明細書に提起される主題による電気光学ディスプレイのピクセル１００の概略図を示す。ピクセル１００は、結像フィルム１１０を含み得る。いくつかの実施形態では、結像フィルム１１０は、双安定であり得る。いくつかの実施形態では、結像フィルム１１０は、限定ではないが、例えば、荷電顔料粒子を含み得るカプセル化された電気泳動結像フィルムを含み得る。
【００５２】
結像フィルム１１０は、正面電極１０２と背面電極１０４との間に配置され得る。正面電極１０２は、結像フィルムとディスプレイの正面との間に形成され得る。いくつかの実施形態では、正面電極１０２は、透明であり得る。いくつかの実施形態では、正面電極１０２は、限定ではないが、インジウムスズ酸化物（ＩＴＯ）を含む任意の好適な透明材料から形成され得る。背面電極１０４は、正面電極１０２の反対側に形成され得る。いくつかの実施形態では、寄生静電容量（図示せず）が、正面電極１０２と背面電極１０４との間に形成され得る。
【００５３】
ピクセル１００は、複数のピクセルのうちの１つであり得る。複数のピクセルは、行および列の２次元アレイに配列され、任意の特定のピクセルが、１つの規定された行と１つの規定された列との交点によって一意に画定されるように、マトリクスを形成し得る。いくつかの実施形態では、ピクセルのマトリクスは、各ピクセルが、少なくとも１つの非線形回路要素１２０に関連付けられた「アクティブマトリクス」であり得る。非線形回路要素１２０が、バックプレート電極１０４とアドレス電極１０８との間に結合され得る。いくつかの実施形態では、非線形要素１２０は、ダイオードおよび／または、限定ではないが、ＭＯＳＦＥＴを含むトランジスタを含み得る。ＭＯＳＦＥＴのドレイン（またはソース）は、バックプレート電極１０４に結合され得、ＭＯＳＦＥＴのソース（またはドレイン）は、アドレス電極１０８に結合され得、ＭＯＳＦＥＴのゲートは、ＭＯＳＦＥＴのアクティブ化および非アクティブ化を制御するように構成されるドライバ電極１０６に結合され得る。（便宜上、バックプレート電極１０４に結合されるＭＯＳＦＥＴの端子は、ＭＯＳＦＥＴのドレインと称され、アドレス電極１０８に結合されるＭＯＳＦＥＴの端子は、ＭＯＳＦＥＴのソースと称されるであろう。しかしながら、当業者は、いくつかの実施形態では、ＭＯＳＦＥＴのソースおよびドレインが交換され得ることを認識するであろう。）
【００５４】
アクティブマトリクスのいくつかの実施形態では、各列内の全てのピクセルのアドレス電極１０８は、同一列電極に接続され得、各行内の全てのピクセルのドライバ電極１０６は、同一行電極に接続され得る。行電極は、行ドライバに接続され得、行ドライバは、選択された行内の全てのピクセル１００の非線形要素１２０をアクティブ化するために十分な電圧を選択された行電極に印加することによって、ピクセルの１つ以上の行を選択し得る。列電極は、列ドライバに接続され得、列ドライバは、ピクセルを所望の光学状態に駆動するために好適な電圧を選択された（アクティブ化された）ピクセルのアドレス電極１０６にかけ得る。アドレス電極１０８に印加される電圧は、ピクセルのフロントプレート電極１０２に印加される電圧（例えば、約ゼロボルトの電圧）に対するものであり得る。いくつかの実施形態では、アクティブマトリクス内の全てのピクセルのフロントプレート電極１０２は、共通電極に結合され得る。
【００５５】
いくつかの実施形態では、アクティブマトリクスのピクセル１００は、行毎様式で書き込まれ得る。例えば、ピクセルの行は、行ドライバによって選択され得、ピクセルの行に関する所望の光学状態に対応する電圧が、列ドライバによって、ピクセルに印加され得る。「ラインアドレス時間」として公知である事前選択された間隔後、選択された行が、選択解除され得、別の行が、選択され得、列ドライバにおける電圧は、ディスプレイの別のラインが書き込まれるように変化させられ得る。
【００５６】
図２は、本明細書に提示される主題による、正面電極１０２と背面電極１０４との間に配置される電気光学結像層１１０の回路モデルを示す。抵抗器２０２およびコンデンサ２０４は、電気光学結像層１１０、正面電極１０２、および背面電極１０４の抵抗および静電容量（任意の接着剤層を含む）を表し得る。抵抗器２１２およびコンデンサ２１４は、ラミネート加工接着剤層の抵抗および静電容量を表し得る。コンデンサ２１６は、正面電極１０２と背面電極１０４との間、例えば、結像層とラミネート加工接着剤層との間、および／または、ラミネート加工接着剤層とバックプレーン電極との間の界面等の層間の界面接触エリアに形成され得る静電容量を表し得る。ピクセルの結像フィルム１１０を横断した電圧Ｖｉは、ピクセルの残留電圧を含み得る。
【００５７】
（直接更新またはＤＵ）
【００５８】
いくつかの使用用途では、ディスプレイは、「直接更新」駆動スキーム（「ＤＵＤＳ」または「ＤＵ」）を利用し得る。ＤＵは、２つ以上のグレーレベル、典型的に、グレースケール駆動スキーム（「ＧＳＤＳ」）よりも少ないグレーレベルを有し得るが（ＧＳＤＳは、全ての可能なグレーレベルの間の遷移を達成し得る）、ＤＵスキームの最も重要な特性は、ＧＳＤＳで多くの場合使用される「間接」遷移とは対照的に、遷移が初期グレーレベルから最終グレーレベルへの単純な一方向駆動によって取り扱われることであり、ＧＳＤＳにおいて、少なくともいくつかの遷移では、ピクセルが初期グレーレベルから１つの極端な光学状態に、次いで、逆方向へ最終グレーレベルに駆動され、ある場合、遷移は、初期グレーレベルから１つの極端な光学状態に、そこから反対の極端な光学状態に、そこでようやく最終的な極端な光学状態に駆動することによって達成され得る。例えば、前述の米国特許第７，０１２，６００号の図１１Ａおよび１１Ｂに図示される駆動スキームを参照されたい。したがって、この電気泳動ディスプレイは、飽和パルスの長さ（「飽和パルスの長さ」は、１つの極端な光学状態から他方の光学状態にディスプレイのピクセルを駆動するために十分である特定の電圧における期間として定義される）の約２〜３倍、または約７００〜９００ミリ秒のグレースケールモードにおける更新時間を有し得る一方、ＤＵは、飽和パルスの長さに等しく、約２００〜３００ミリ秒の最大更新時間を有する。
【００５９】
上で説明される直接更新（ＤＵ）波形モードまたは駆動スキームは、本明細書に開示される主題の一般的な動作原理を解説するために本明細書で使用されることを理解されたい。これは、本主題への限定としての役割を果たすように意図されていない。これらの動作原理は、他の波形モードまたはスキームにも容易に適用されることができる。
【００６０】
ＤＵ波形モードは、通常、空の自己遷移を伴う白色および黒色への更新を考慮する、駆動スキームである。ＤＵモードは、「閃光のような」遷移の最小限の出現を伴って、黒色および白色を迅速に提示するための短い更新時間を有し、「閃光のような」遷移において、ディスプレイは、点滅しているように見え、一部の視認者の眼に視覚的に魅力的ではないこともある。ＤＵモードは、時として、ディスプレイ画面上にメニュー、進捗バー、キーボード等を提示するために使用され得る。白色から白色へ、および黒色から黒色への遷移の両方がＤＵモードではヌル（すなわち、駆動されていない）ので、エッジアーチファクトが、黒色および白色背景に生じ得る。
【００６１】
上で説明されるように、駆動されていないピクセルが、更新されているピクセルに隣接して位置するとき、駆動されたピクセルの駆動が、駆動されたピクセルのエリアよりもわずかに大きいエリアの上に光学状態の変化を引き起こし、このエリアが、隣接するピクセルのエリアの中に侵入する「ブルーミング」として公知である現象が起こる。そのようなブルーミングは、駆動されていないピクセルが駆動されたピクセルに隣接して位置するエッジに沿って、エッジ効果として現れる。類似エッジ効果は、領域更新の場合、エッジ効果が更新されている領域の境界で起こることを除いて、領域更新（ディスプレイの特定の領域のみが、例えば、画像を示すために更新される）を使用するとき、起こる。経時的に、そのようなエッジ効果は、視覚的に気が散るものになり、消去されなければならない。これまで、そのようなエッジ効果（および駆動されていない白色ピクセルにおける色ドリフトの効果）は、典型的に、間隔を置いて単一の大域的消去またはＧＣ更新を使用することによって、除去されてきた。残念ながら、そのような時折のＧＣ更新の使用は、「閃光のような」更新という問題を再導入し得、実際、更新の閃光性は、閃光のような更新が長い間隔を置いてのみ起こるという事実によって高められ得る。
【００６２】
（マップ生成）
【００６３】
比較して、代替ディスプレイピクセルエッジアーチファクト低減方法のうちのいくつかは、各画像更新後にエッジアーチファクトを検出および除去するために設計される画像処理に起因して、追加の待ち時間をもたらし得る。加えて、これらの低減方法におけるＤＣ非平衡波形の使用は、更新の合間のわずかな滞留時間が駆動後放電を実施するために十分な時間を可能にしないので、実現可能ではないであろう。さらに、駆動後放電がない場合、全体的な光学性能およびモジュール信頼性に潜在的危険性が存在する。
【００６４】
代わりに、本明細書に開示される主題によると、駆動スキームまたは波形モード下で生成されるピクセルエッジアーチファクトは、メモリ（例えば、バイナリマップ）に記憶され得、例えば、各ディスプレイピクセルは、指示子ＭＡＰ（ｉ，ｊ）によって表され得、エッジアーチファクトを生じさせ得るピクセルは、フラグを付けられ得、それらのマップ情報（すなわち、ＭＡＰ（ｉ，ｊ）指示子）は、バイナリマップの中に保存され得る。マップ上の生成されたエッジアーチファクトを追跡し、そのようなピクセルにフラグを付けるために使用され得る１つのアプローチが、下で例証される。
ＭＡＰ（ｉ，ｊ）＝０  ｆｏｒ  全てのｉ、ｊ
Ｆｏｒ  連続順序における全てのＤＵ更新
Ｆｏｒ  任意の順序における全てのピクセル（ｉ，ｊ）：
Ｉｆ  ピクセルグレートーン遷移が白色→白色であり、ＡＮＤ  ４つ全ての基本（ｃａｒｄｉｎａｌ）隣接ピクセルが白色の次のグレートーンを有し、ＡＮＤ  少なくとも１つの基本隣接ピクセルが白色ではない現在のグレートーンを有し、ＡＮＤ  ＭＡＰ（ｉ，ｊ）の全ての隣接ピクセルが０である場合、
ｔｈｅｎ  ＭＡＰ（ｉ，ｊ）＝１である。
Ｅｌｓｅ，ｉｆ  ピクセルグレートーン遷移が黒色→黒色であり、ＡＮＤ  少なくとも１つの基本隣接ピクセルが黒色ではない現在のグレートーンＡＮＤ黒色の次のグレートーンを有し、ＡＮＤ  ＭＡＰ（ｉ，ｊ）の全ての隣接ピクセルが０である場合、
ｔｈｅｎ  ＭＡＰ（ｉ，ｊ）＝２である。
Ｅｎｄ
Ｅｎｄ
Ｅｎｄ
【００６５】
このアプローチでは、ある条件が満たされるとき、ＭＡＰ（ｉ，ｊ）と指定されたディスプレイピクセルが、１の数値でフラグを付けられ得、暗いエッジエッジアーチファクトがこのピクセル上に形成されたことを示す。要求される条件のうちのいくつかは、以下を含み得る：（１）このディスプレイピクセルが、白色から白色への遷移を経ること、（２）４つ全ての基本隣接ピクセル（すなわち、４つの最も近い隣接ピクセル）が、白色の次のグレートーンを有すること、（３）少なくとも１つの基本隣接ピクセルが、白色ではない現在のグレートーンを有すること、（４）隣接ピクセル（すなわち、４つの基本隣接ピクセル、および、対角隣接ピクセル）のうちのいずれも、現在、エッジアーチファクトに関してフラグを付けられていないこと。
【００６６】
同様に、ある条件が満たされるとき、ディスプレイピクセルＭＡＰ（ｉ，ｊ）は、２の数値でフラグを付けられ得、白色エッジがこのピクセル上に形成されたことを示す。要求される条件のうちのいくつかは、以下を含み得る：（１）このピクセルが、黒色から黒色への遷移を経ること、（２）少なくとも１つの基本隣接ピクセルが、黒色ではない現在のグレートーンを有し、その次のグレートーンが、黒色であること、（３）隣接ピクセル（すなわち、４つの基本隣接ピクセル、および、対角隣接ピクセル）のうちのいずれも、現在、エッジアーチファクトに関してフラグを付けられていないこと。
【００６７】
使用時、このアプローチの１つの利点は、上記の画像処理（すなわち、マップ生成およびピクセルフラグ付け）が、ディスプレイ画像更新サイクルと同時に起こり、それによって、生成されたマップが更新サイクルの完了時のみに要求されるという理由に少なくとも部分的に起因する更新サイクルへの余分な待ち時間の生成を回避し得ることである。
【００６８】
更新モードが完了する（例えば、ディスプレイが特定の更新モードを使用することを止める）と、生成されたマップによって蓄積されるピクセル情報が、以降で、（例えば、出力波形モードを使用して）エッジアーチファクトを消去するために使用され得る。例えば、エッジアーチファクトに関してフラグを付けられたピクセルは、特殊化波形を伴う低閃光波形を用いて、消去され得る。
【００６９】
いくつかの実施形態では、完全消去白色から白色へ波形および黒色から黒色へ波形が、特殊エッジ消去白色から白色へ波形および黒色から黒色へ波形と併せて、エッジアーチファクトを消去するために使用され得る。例えば、米国特許出願第米２０１３／０１９４２５０号（その全体として本明細書に組み込まれる）に説明される、平衡パルス対は、以下を説明する。
Ｆｏｒ  任意の順序における全てのピクセル（ｉ，ｊ）
Ｉｆ  ピクセルグレートーン遷移が白色→白色ではなく、黒色→黒色ではない場合、通常のＤＵ＿ＯＵＴ遷移を呼び出す
Ｅｌｓｅ，ｉｆ  ＭＡＰ（ｉ，ｊ）が１であり、ピクセルグレートーン遷移が白色→白色である場合、特殊完全白色から白色へ波形を印加する
Ｅｌｓｅ，ｉｆ  ピクセルクセルグレートーン遷移が白色→白色であり、ＡＮＤ  少なくとも１つの基本隣接ピクセルが１であるＭＡＰ（ｉ，ｊ）を有する場合、特殊エッジ消去白色から白色へ波形を印加する
Ｅｌｓｅ，ｉｆ  ＭＡＰ（ｉ，ｊ）＝＝２であり、ピクセルグレートーン遷移が黒色→黒色である場合、特殊完全黒色から黒色へ波形を印加する
Ｅｌｓｅ，ｉｆ  ピクセルクセルグレートーン遷移が黒色→黒色であり、ＡＮＤ  少なくとも１つの基本隣接ピクセルが２であるＭＡＰ（ｉ，ｊ）を有する場合、特殊エッジ消去黒色から黒色へ波形を印加する
Ｏｔｈｅｒｗｉｓｅ  ＤＵ＿ＯＵＴ波形テーブルの黒色→黒色／白色→白色遷移を呼び出す
Ｅｎｄ
Ｅｎｄ
【００７０】
このアプローチでは、ＤＵ＿ＯＵＴ遷移スキーム（例えば、エッジアーチファクト低減アルゴリズムが含まれる修正されたＤＵスキーム）が、白色から白色への遷移または黒色から黒色への遷移を経ないピクセルに適用され得、例えば、これらのピクセルは、通常のＤＵ駆動スキーム下にある場合のように通常の遷移更新を受け得る。さもなければ、暗いエッジアーチファクト（すなわち、ＭＡＰ（ｉ，ｊ）＝１）を伴い、白色から白色への遷移を経るピクセルに関して、特殊完全白色から白色へ波形が、印加され得る。いくつかの実施形態では、この白色から白色へ波形は、実質的にＤＣ平衡状態であり得る図３ｃに図示されるものに類似する波形であり得、規模および時間の関数としての電圧バイアス印加の合計が、全体で実質的にゼロであることを意味する。そうでなければ、ピクセルが白色から白色への遷移を経、少なくとも１つの基本隣接ピクセルが暗いエッジアーチファクト（すなわち、ＭＡＰ（ｉ，ｊ）＝１）を有する場合、特殊エッジ消去白色から白色へ波形が、印加される（例えば、図３ａ）。依然として、さらに、ピクセルが白色エッジアーチファクト（すなわち、ＭＡＰ（ｉ，ｊ）＝２）を有し、黒色から黒色への遷移を経る場合、図４ｂに図示されるような特殊完全黒色から黒色へ波形が、印加され得る。依然として、さらに、ピクセルが黒色から黒色への遷移を経、かつ少なくとも１つの基本隣接ピクセルが白色エッジアーチファクト（すなわち、ＭＡＰ（ｉ，ｊ）＝２）に関してフラグを付けられている場合、図４ａに図示されるように、特殊エッジ消去黒色から黒色へ波形を印加し、そうでなければ、ＤＵ−ＯＵＴ波形テーブルからの波形を使用して、黒色から黒色への遷移波形または白色から白色への遷移波形を全ての他のピクセルに印加する。
【００７１】
上記の方法を使用して、完全消去白色から白色へおよび黒色から黒色へ波形が、エッジアーチファクトを消去するために、完全エッジ消去白色から白色へおよび黒色から黒色へ波形と併せて使用される。いくつかの実施形態では、特殊エッジ消去白色から白色へ波形は、Ａｍｕｎｄｓｏｎ  ｅｔ  ａｌ．への米国特許公開第２０１３／０１９４２５０号（その全体として本明細書に組み込まれる）に説明されるようなパルス対、または図３ｂに図示されて挙げられるような白色へのＤＣ非平衡パルス駆動の形態をとることができ、その場合、説明される駆動後放電が、残留電圧を放電し、デバイス応力を低減させるために使用され得る。同様に、図４ａに図示されるようなＤＣ非平衡パルスは、ピクセルを黒色に駆動するために使用され得、その場合、再度、駆動後放電が、実施され得る。図４に図示されるように、そのようなＤＣ非平衡パルスは、ある期間にわたって正の１５ボルトへの駆動のみを有する。この構成では、優れたエッジ消去性能が、特殊完全消去波形の使用に起因して、わずかな遷移外観欠陥（例えば、閃光）を犠牲にして、達成されることができる。
【００７２】
別の実施形態では、遷移外観欠陥（例えば、閃光）は、下で説明される代替実装を使用して、低減させられ得る。
Ｆｏｒ  任意の順序における全てのピクセル（ｉ，ｊ）
Ｉｆ  ピクセルグレートーン遷移が白色→白色ではなく、黒色→黒色ではない場合、通常のＤＵ＿ＯＵＴ遷移を呼び出す
Ｅｌｓｅ，ｉｆ  ＭＡＰ（ｉ，ｊ）が１であり、ピクセルグレートーン遷移が白色→白色である場合、白色へのＤＣ非平衡駆動パルスを印加する
Ｅｌｓｅ，ｉｆ  ＭＡＰ（ｉ，ｊ）＝＝２であり、ピクセルグレートーン遷移が黒色→黒色である場合、黒色へのＤＣ非平衡駆動パルスを印加する
Ｏｔｈｅｒｗｉｓｅ  ＤＵ＿ＯＵＴ波形テーブルの黒色→黒色／白色→白色遷移を呼び出す
Ｅｎｄ
Ｅｎｄ
【００７３】
このアプローチでは、上記の第１の方法に説明されるような特殊化エッジ消去波形を使用する代わりに、ＤＣ非平衡波形が、エッジアーチファクトを消去するために使用され得る。いくつかの事例では、駆動後放電が、非平衡波形に起因するハードウェア応力を低減させるために、使用され得る。使用時、ディスプレイピクセルが白色から白色への遷移または黒色から黒色への遷移を経ないとき、通常のＤＵ−ＯＵＴ遷移が、ピクセルに適用される。さもなければ、ディスプレイピクセルが、暗いエッジアーチファクト（すなわち、ＭＡＰ（ｉ，ｊ）＝１）を有すると識別され、白色から白色への遷移を経る場合、ＤＣ非平衡駆動パルスが、ピクセルを白色に駆動するために使用される（例えば、図３ｂに図示されるものに類似するパルス）。さもなければ、ディスプレイピクセルが、白色エッジアーチファクト（すなわち、ＭＡＰ（ｉ，ｊ）＝２）を有すると識別され、黒色から黒色への遷移を経る場合、ＤＣ非平衡駆動パルス（例えば、図４ａに図示されるものに類似するパルス）が、ピクセルを黒色に駆動するために印加され、そうでなければ、ディスプレイピクセルへのＤＵ−ＯＵＴ波形テーブルの黒色から黒色へまたは白色から白色への遷移を呼び出す。
【００７４】
さらに別の実施形態では、指定メモリ場所にエッジアーチファクト情報を記憶する代わりに、（例えば、コントローラユニットに関連付けられる次の画像バッファを使用して）ディスプレイのコントローラユニットに関連付けられる画像バッファ内のエッジアーチファクト情報を繰り上げ得る。
Ｆｏｒ  連続順序における全てのＤＵ更新
Ｆｏｒ  任意の順序における全てのピクセル（ｉ，ｊ）：
Ｉｆ  ピクセルグレートーン遷移が白色→白色であり、ＡＮＤ  ４つ全ての基本隣接ピクセルが白色の次のグレートーンを有し、ＡＮＤ  少なくとも１つの基本隣接ピクセルが白色ではない現在のグレートーンを有する場合、
ｔｈｅｎ  次のグレートーンを特殊白色から白色へ画像状態に設定する。
Ｅｌｓｅ，ｉｆ  ピクセルグレートーン遷移が黒色→黒色であり、ＡＮＤ  少なくとも１つの基本隣接ピクセルが黒色ではない現在のグレートーンＡＮＤ黒色の次のグレートーンを有し、ＡＮＤ  ＭＡＰ（ｉ，ｊ）の全ての隣接ピクセルが０である場合、
ｔｈｅｎ  次のグレートーンを特殊黒色・黒白色画像状態に設定する。
Ｅｎｄ
Ｅｎｄ
Ｅｎｄ
【００７５】
このアプローチでは、白色から白色への遷移を経るピクセル、および白色の次のグレートーンを有するその４つの基本隣接ピクセルの全てに関して、基本隣接ピクセルのうちの少なくとも１つの現在のグレートーンが白色ではない場合、ピクセルの次のグレートーンを次の画像バッファ内の特殊白色から白色へ画像状態に設定し、さもなければ、ピクセルのグレートーン遷移が黒色から黒色であり、少なくとも１つの基本隣接ピクセルが、黒色ではない現在のグレートーンと、黒色である次のグレートーンとを有する場合、ピクセルの次のグレートーンは、次の画像バッファ内の特殊黒色から黒色へ画像状態に設定される。使用時、更新サイクル中に、特殊白色から白色へ画像状態および特殊黒色から黒色へ画像状態は、波形遷移の適用および画像処理の両方のための白色から白色へ画像状態および黒色から黒色へ画像状態と同一であり得る。波形遷移の適用に関して、それは、以下を意味する。
・  特殊白色状態→白色状態（すなわち、白色状態から白色状態へ）は、波形ルックアプテーブルの白色状態→白色状態（すなわち、白色状態から白色状態へ）と同等である
・  特殊白色状態→任意のグレー状態（すなわち、白色状態から任意のグレー状態へ）は、波形ルックアプテーブル等の白色状態→任意のグレー状態（すなわち、白色状態から任意のグレー状態へ）と同等である
・  特殊黒色状態→黒色状態（すなわち、黒色状態から黒色状態へ）は、波形ルックアプテーブルの黒色状態→黒色状態（すなわち、黒色状態から黒色状態へ）と同等である
・  特殊黒色状態→任意のグレー状態（すなわち、黒色状態から任意のグレー状態へ）は、波形ルックアプテーブル等の黒色状態→任意のグレー状態（すなわち、黒色状態から任意のグレー状態へ）と同等である
出力モード中、特殊白色から白色へ状態は、白色へのＤＣ非平衡パルスを受信し（例えば、図３ｂが、例示的なそのようなパルスを図示する）、特殊黒色から黒色へ状態は、黒色へのＤＣ非平衡パルスを受信した（例えば、図４ａが、例示的なそのようなパルスを図示する）。結像アルゴリズム処理は、ＤＵモード更新中にバックグラウンドで起こり、ＤＵ更新時間が画像を処理するために使用され得ることを意味する。
【００７６】
図５ａおよび図５ｂは、エッジアーチファクト低減が適用されない場合、適用される場合のディスプレイを図示する。実践では、エッジアーチファクト低減が適用されない場合、黒色背景上の白色エッジが、図５ａに示されるように、明確に見える。対照的に、図５ｂは、白色エッジが本明細書に提起される提案された方法のうちの１つを使用して消去されることを示す。
【００７７】
多数の変更および修正が、本発明の範囲から逸脱することなく、上で説明される本発明の具体的実施形態に行われ得ることが、当業者に明白であろう。故に、前述の説明の全体は、限定的ではなくて例証的な意味で解釈されるものである。
【図１】
2020533638.tif 000003
【図２】
2020533638.tif 000004
【図３】
2020533638.tif 000005
【図４】
2020533638.tif 000006
【図５ａ】
2020533638.tif 000007
【図５ｂ】
2020533638.tif 000008
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
複数のディスプレイピクセルを有する電気光学ディスプレイを駆動する方法であって、前記方法は、
第１の画像で前記ディスプレイを更新することと、
前記第１の画像更新後、エッジアーチファクトを伴うディスプレイピクセルを識別することと、
エッジアーチファクトを伴う前記識別されたディスプレイピクセルの場所を示すバイナリマップを作成することと、
前記バイナリマップをメモリに記憶することと
を含む、方法。
【請求項２】
エッジアーチファクトを伴うディスプレイピクセルを識別する前記ステップは、前記ディスプレイピクセルのグレートーン遷移を決定することを含む、請求項１に記載の方法。
【請求項３】
エッジアーチファクトを伴うディスプレイピクセルを識別する前記ステップは、その基本隣接ピクセルのうちの少なくとも１つと異なるグレートーンを有するディスプレイピクセルを決定することを含む、請求項１に記載の方法。
【請求項４】
エッジアーチファクトを伴うディスプレイピクセルを識別する前記ステップは、前記ディスプレイのコントローラに関連付けられたメモリへの前記識別されたピクセルにフラグを付けることを含む、請求項１に記載の方法。
【請求項５】
エッジアーチファクトを伴う識別された前記ディスプレイピクセルに波形を印加することをさらに含む、請求項１に記載の方法。
【請求項６】
前記波形は、実質的にＤＣ平衡状態である、請求項５に記載の方法。
【請求項７】
前記波形は、ＤＣ非平衡状態である、請求項５に記載の方法。
【請求項８】
駆動後放電を実施することをさらに含む、請求項６に記載の方法。
【請求項９】
少なくとも２つの画像更新後、エッジアーチファクトを伴う前記識別されたピクセルに完全消去波形を印加することをさらに含む、請求項１に記載の方法。
【手続補正２】
【補正対象書類名】明細書
【補正対象項目名】０００８
【補正方法】変更
【補正の内容】
【０００８】
故に、一側面では、本明細書に提起される主題は、複数のディスプレイピクセルを有する電気光学ディスプレイを駆動する方法を提供する。方法は、第１の画像でディスプレイを更新することと、第１の画像更新後、エッジアーチファクトを伴うディスプレイピクセルを識別することと、メモリの中に識別されたディスプレイピクセルの情報を記憶することとを含む。いくつかの実施形態では、方法は、第１の画像と第２の画像との間のディスプレイピクセルのグレートーン遷移を決定することも含み得る。いくつか他の実施形態では、方法は、その基本隣接ピクセルのうちの少なくとも１つと異なるグレートーンを有するディスプレイピクセルを決定することと、ディスプレイのコントローラに関連付けられたメモリにおける識別されたピクセルにフラグを付けることとを含み得る。
本発明は、例えば、以下を提供する。
（項目１）
複数のディスプレイピクセルを有する電気光学ディスプレイを駆動する方法であって、前記方法は、
第１の画像で前記ディスプレイを更新することと、
前記第１の画像更新後、エッジアーチファクトを伴うディスプレイピクセルを識別することと、
前記識別されたディスプレイピクセル情報をメモリに記憶することと
を含む、方法。
（項目１）
エッジアーチファクトを伴うディスプレイピクセルを識別する前記ステップは、前記ディスプレイピクセルのグレートーン遷移を決定することを含む、項目１に記載の方法。
（項目２）
エッジアーチファクトを伴うディスプレイピクセルを識別する前記ステップは、その基本隣接ピクセルのうちの少なくとも１つと異なるグレートーンを有するディスプレイピクセルを決定することを含む、項目１に記載の方法。
（項目３）
エッジアーチファクトを伴うディスプレイピクセルを識別する前記ステップは、前記ディスプレイのコントローラに関連付けられたメモリへの前記識別されたピクセルにフラグを付けることを含む、項目１に記載の方法。
（項目４）
エッジアーチファクトを伴う識別された前記ディスプレイピクセルに波形を印加することをさらに含む、項目１に記載の方法。
（項目５）
前記波形は、実質的にＤＣ平衡状態である、項目５に記載の方法。
（項目６）
前記波形は、ＤＣ非平衡状態である、項目５に記載の方法。
（項目７）
駆動後放電を実施することをさらに含む、項目６に記載の方法。
（項目８）
前記識別されたディスプレイピクセル情報をメモリに記憶する前記ステップは、前記識別されたディスプレイピクセルの情報をバイナリマップに記憶することを含む、項目１に記載の方法。
【国際調査報告】
2020533638.tif 000009
2020533638.tif 000010
2020533638.tif 000011